(57)【要約】【課題】  生体収納用蓋付き容器に迂回した通気路を設け、その外側を蓋体の垂下外側辺で通気可能に隠蔽することで、上記通気路を利用した悪質な悪戯を防ぐこと。【解決手段】  容器１の開口外鍔２に形成した通気凹部３を覆って容器１に蓋体４を被せた蓋付き容器を構成するに当り、前記蓋体４に形成した環状溝５を容器外鍔２に嵌入して施蓋した蓋体４の環状溝５と前記通気凹部３との間・この凹部付近の環状溝内側辺５Ａと容器側面１Ａとの間および前記蓋体４に形成した垂下外側辺４Ａの内面と前記通気凹部付近の外鍔外周辺２Ａとの間をそれぞれ連通して迂回する通気路Ｇを形成し、この迂回通気路Ｇの外側を前記蓋体垂下外側辺４Ａで通気可能に隠蔽した。【選択図】図１
0003128391.tif 000002
【実用新案登録請求の範囲】
【請求項１】
容器１の開口外鍔２に形成した通気凹部３を覆って容器１に蓋体４を被せた蓋付き容器において、前記蓋体４に形成した環状溝５を容器外鍔２に嵌入して施蓋した蓋体４の環状溝５と前記通気凹部３との間・この凹部付近の環状溝内側辺５Ａと容器側面１Ａとの間および前記蓋体４に形成した垂下外側辺４Ａの内面と前記通気凹部付近の外鍔外周辺２Ａとの間をそれぞれ連通して迂回する通気路Ｇを形成し、この迂回通気路Ｇの外側を前記蓋体垂下外側辺４Ａで通気可能に隠蔽した生体収納用蓋付き容器。
【請求項２】
容器１の開口外鍔２に形成した通気凹部３を覆って容器１に蓋体４を被せた蓋付き容器において、前記蓋体４に形成した垂下外側辺４Ａの内側に環状溝５を形成する一方、前記通気凹部３に連接した外鍔外周辺２Ａと容器側面１Ａとの各所定範囲部分と、この部分に対向した蓋体環状溝５の内側辺５Ａの所定範囲部分とをそれぞれ内向きに凹ませて成形することで、前記環状溝５を容器外鍔２に嵌入して施蓋した蓋体４の環状溝５と前記通気凹部３との間・この凹部付近の環状溝内側辺５Ａと容器側面１Ａとの間および前記蓋体４に形成した垂下外側辺４Ａの内面と前記通気凹部付近の外鍔外周辺２Ａとの間をそれぞれ連通して迂回する通気路Ｇを形成し、この迂回通気路Ｇの外側を前記蓋体垂下外側辺４Ａで通気可能に隠蔽した生体収納用蓋付き容器。
【請求項３】
容器１の上部開口外鍔２に形成した通気凹部３を覆って容器に蓋体４を被せた蓋付き容器において、前記蓋体４に形成した垂下外側辺４Ａの内側に環状溝５を形成し、蓋体垂下外側辺４Ａの内面に前記容器外鍔２の外周辺２Ａを弾接支持する係止突部６を所定間隔毎に形成する一方、前記通気凹部３に連接した外鍔外周辺２Ａと容器側面１Ａとの各所定範囲部分と、この部分に対向した蓋体環状溝５の内側辺５Ａの所定範囲部分とをそれぞれ内向きに凹ませて成形することで、前記蓋体４に形成した環状溝５を容器外鍔２に嵌入して施蓋した蓋体４の環状溝５と前記通気凹部３との間・この凹部付近の環状溝内側辺５Ａと容器側面１Ａとの間および前記蓋体４に形成した垂下外側辺４Ａの内面と前記通気凹部付近の外鍔外周辺２Ａとの間をそれぞれ連通して迂回する通気路Ｇを形成し、この迂回通気路Ｇの外側を前記蓋体垂下外側辺４Ａで通気可能に隠蔽した生体収納用蓋付き容器。
【請求項４】
前記容器１と蓋体４にポリ・エチレン・テレフタレート製シートを加熱軟化状態で真空引き成形後、冷却固化した容器１と蓋体４を用いた請求項１から請求項３までのいずれか一つの請求項に記載の生体収納用蓋付き容器。
【考案の詳細な説明】
【技術分野】
【０００１】
本考案は、姫ネギやミニ（小型）トマトなどの小型野菜とか、ブドウなどの生鮮果物や、貝類などの主に食用の生体を呼吸可能に収納できる生体収納用蓋付き容器に関する。
【背景技術】
【０００２】
生鮮果物や小型野菜を呼吸可能に収納できる蓋付き容器としては従来、例えば下記の非特許文献１に記載のようなミニトマト収納用蓋付き容器が周知である。この従来例は、図５のように、容器１の上部開口外鍔２に蓋体４の外鍔２を被せた蓋付き容器であり、加熱軟化性プラスチックシートでほぼ角箱状に真空引き成形したもので、蓋体４の外鍔２を同図５のように部分的に凹ませて直線状の短い通気路 gを形成した蓋付き容器である。
【非特許文献１】愛知県一宮市奥町字剱光寺３１番地所在のスミ株式会社が、西暦２００４年４月に日本国内における不特定多数の人向けに多数頒布した食品包装容器のカタログブックＶｏｌ．１２の第６７ページ「ミニトマト収納用蓋付き容器」Ｔ４Ｂ−４Ｈの写真。
【考案の開示】
【考案が解決しようとする課題】
【０００３】
上記非特許文献１のミニトマト収納用蓋付き容器における通気路 gは直線状で短く、通気路外側は、前記図５のように横向きに露見状態に有るので、周辺のゴミ・ホコリなどの細かい異物が入り易く不衛生であるし、上記通気路 gはストレートで短く、しかも常に周辺から露見状態に在るので、販売展示中の容器内に上記短いストレートの通気路 gから注射器などで汚液や毒液を注入し易く、上記通気路を利用した悪質な悪戯も素早く実行できるという根源的で切実かつ、危険な問題点が有る。
【０００４】
この考案は、小型野菜とか生鮮果物や貝類など、主に食用の生体を呼吸可能に収納できる生体収納用蓋付き容器に迂回した通気路を設け、その外側を蓋体の垂下外側辺で通気可能に隠蔽することで、上記通気路を利用した前記悪質な悪戯を防ぐことを目的とする。
【課題を解決するための手段】
【０００５】
上記した本考案の目的は、容器の開口外鍔に形成した通気凹部を覆って容器に蓋体を被せた蓋付き容器を構成するに当たり、前記蓋体に形成した環状溝を容器外鍔に嵌入して施蓋した蓋体の環状溝と前記通気凹部との間・この凹部付近の環状溝内側辺と容器側面との間および前記蓋体に形成した垂下外側辺の内面と前記通気凹部付近の外鍔外周辺との間をそれぞれ連通して迂回する通気路を形成し、この迂回通気路の外側を前記蓋体垂下外側辺で通気可能に隠蔽したことで達成できた。
【考案の効果】
【０００６】
この考案による生体収納用蓋付き容器に形成した通気路は、上下に迂回していると共に、通気路外側はその存在場所が発見不可能な状態で蓋体の垂下外側辺により通気可能に隠蔽してあるので、容器内に周辺のゴミ・ホコリなどの異物が入りづらく衛生的であるし、販売展示中の容器内には、上記迂回通気路外側から注射器などで汚液や毒液を注入できないので、前記従来例のような悪質な悪戯を皆無にできたという優れた効果が有る。
【０００７】
本考案における請求項３の考案によれば、前記諸効果に加え、蓋体垂下外側辺の内面に前記容器外鍔の外周辺を弾接支持する係止突部を所定間隔毎に突設したので、施蓋する時には、容器外鍔の外周辺を蓋体垂下外側辺内係止突部に素材固有の弾力に抗しパチンと一発係合させることで施蓋でき、この蓋体は容器外鍔から妄りに抜去せず、安定な施蓋状態を確保できると共に、開蓋時には、容器外鍔の外周辺をその固有弾力と蓋体垂下外側辺の固有弾力とに抗して引き外せば、容易に開蓋できるという効果を付加できた。
【０００８】
本考案における請求項４の考案によれば、Ａ−ＰＥＴシートなどのポリ・エチレン・テレフタレート製シート（以下ＰＥＴシートという）を加熱軟化状態で真空引き成形後、冷却固化して容器や蓋体を作ったので、適度の剛性と弾力に富むＰＥＴ固有の性質、すなわち薄肉でも「腰の強い」蓋付き容器を安価に多量提供できるという効果を付加できた。
【考案を実施するための最良の形態】
【０００９】
次に、本考案を実施するための最良の形態例を説明する。
本考案の実施形態は、図１・図２のような容器１の上部開口外鍔２の左右に形成した通気凹部３を覆って容器に蓋体４を図１・図４のように被せた蓋付き容器を構成するに当たり、前記蓋体４の外周辺に図３・図４のように形成した垂下外側辺４Ａの内側に容器１の外鍔２を満遍なく嵌入させて施蓋するための環状溝５を形成し、上記垂下外側辺４Ａの内面に前記容器外鍔２の外周辺２Ａを弾接支持する係止突部６を所定間隔毎に形成する。
【００１０】
ただし、前記容器１と蓋体４とは、前記ＰＥＴシートを１５０°Ｃ程度の温度に加熱して軟化させた状態でそれぞれ別個に真空引き成形後、冷却固化して作るのであるが、これら容器１と蓋体４の成形時には、図２のように外鍔通気凹部３に連接した外鍔外周辺２Ａと容器側面１Ａとの各所定範囲部分と、この部分に対向する蓋体環状溝５の内側辺５Ａの所定範囲部分とをそれぞれ同図２のように内向きに弯凹させて成形する。
【００１１】
また、上記蓋体環状溝５に容器１の外鍔２を満遍なく嵌入させて容器１に図１・図４のように施蓋した状態における蓋体４の垂下外側辺４Ａの内面と前記所定範囲部分における外鍔外周辺２Ａとの間・前記通気凹部３と蓋体環状溝５の下面との間および前記所定範囲部分における容器側面１Ａと蓋体環状溝５の内側辺５Ａの内面との間を図１のように所定間隔を保ち離隔させ得るので、上記三つの間を順次に上下方向に連通して迂回する通気路Ｇを形成でき、この迂回通気路Ｇの外側を図１・図４のように前記蓋体垂下外側辺４Ａで通気可能に隠蔽したことで、本考案による生体収納用蓋付き容器を構成できた。
【００１２】
本発明考案による生体収納用蓋付き容器は、以上のような構成であり、これを使用するには、図２のように開蓋状態にある容器１内に姫ネギやミニトマトなどの小型野菜とか、ブドウなどの生鮮果物や、貝類などの主に食用の生体とか、ゼニ亀などの鑑賞用生体を少量の水と共に入れた後、前記図１・図４のように施蓋しても、図１の矢印で示すような通気路Ｇを構成でき、この通気路を経て容器１内に周辺空気を満遍なく供給できるから、容器内生体の呼吸を妨げることなく収納保存したり運搬できる。
【実施例】
【００１３】
本考案における生体収納用蓋付き容器は、前記のようにＰＥＴシートを真空引き成形する以外に、生体に害の無い熱可塑性プラスチック素材を射出成形したり、生体に害の無い熱可塑性プラスチックシートを真空引き成形して作ってもよく、容器１と蓋体４とは可撓ヒンジ部を介し一体成形してもよい。
【００１４】
本考案による前記容器の縦・横・高さの各寸法をそれぞれ１４・８・３ｃｍ程度とし、容器外鍔２の左右２辺または１辺に形成した幅２〜３ｃｍ程度の通気凹部３の深さを２ｍｍ程度にそれぞれ金型設定し、ＰＥＴシートを１５０°Ｃ程度に加熱し軟化した状態で真空引き成形後、強制空冷手段などで冷却固化して作った図２のような容器１内に、姫ネギを１００ｇ程度収納し、図４のように施蓋して冷蔵庫内で保存した場合、姫ネギを２週間程度新鮮な状態で保存できた。
【００１５】
前記蓋体垂下外側辺４Ａの内面に前記容器外鍔２の外周辺２Ａを弾接支持する係止突部６を所定間隔毎に形成すれば、外鍔２の外周辺をその固有弾力と蓋体垂下外側辺４Ａの固有弾力とに抗して上記係止突部６にパチンと一発係合させることで施蓋でき、この施蓋状態の蓋体は容器外鍔から妄りに抜去せず、安定な施蓋状態を確保できると共に、開蓋時には、容器外鍔の外周辺をその固有弾力と蓋体垂下外側辺の固有弾力とに抗して取り外せるので、容易に開蓋できる。
【産業上の利用可能性】
【００１６】
本考案による生体収納用蓋付き容器は、食用の生体以外にも、ゼニ亀などの鑑賞用生体の運搬用蓋付き容器とか、虫籠代わりにも当然に利用できる。
【図面の簡単な説明】
【００１７】
【図１】本考案による蓋付き容器の閉蓋状態の要部拡大縦断側面図
【図２】本考案による蓋付き容器の開蓋状態の斜視図
【図３】本考案による蓋付き容器の開蓋状態の要部拡大縦断側面図
【図４】本考案による蓋付き容器の閉蓋状態の斜視図
【図５】従来の蓋付き容器の一例を示す閉蓋状態の斜視図
【符号の説明】
【００１８】
１  容器
１Ａ  容器側面
２  外鍔
２Ａ  外鍔外周辺
３  通気凹部
４  蓋体
４Ａ  垂下外側辺
５  蓋体環状溝
５Ａ  環状溝内側辺
６  係止突部
Ｇ  迂回通気路
【図１】
0003128391.tif 000003
【図２】
0003128391.tif 000004
【図３】
0003128391.tif 000005
【図４】
0003128391.tif 000006
【図５】
0003128391.tif 000007